(57)【特許請求の範囲】
【請求項１】
圃場に栽培しているほうれん草やチンゲン菜等の葉野菜の収穫作業で、収穫葉野菜の積載・搬出を容易にする収束装置に関して、積載口４０に葉野菜長手方向と平行する２辺のシート受体４１と、この上部と接し直角方向に延出する帯状の収束シート４５と、この両端と着脱自在に係合し収束シート４５を拡張する移動係止体４６とを設け、積載口部の収束シート４５上に積載した葉野菜の量に応じて収束シート４５で移動係止体４６を引き寄せ、葉野菜を乗せる高さ位置を積載口４０の高さ付近に維持するよう構成した事を特徴とする葉野菜収束装置。
【請求項２】
収束シート４５と接し、平行する２辺のシート受体４１Ｌ・４１Ｒの間隔を調節可能とした事を特徴とする請求項１記載の葉野菜収束装置。
【請求項３】
圃場に栽培しているほうれん草やチンゲン菜等の葉野菜の収穫作業で、収穫葉野菜の積載・搬出を容易にする収束装置に関して、積載口４０となる上面のみ開放状態で底面はソリ状であるコンテナ体５０に、葉野菜長手方向と平行する積載口４０の２辺４１Ｌ・４１Ｒに対し平行配置した係止体４４・４４を固着する移動係止体４６Ｌ・４６Ｒを、係止回動軸４８Ｌ・４８Ｒで軸支し、更に、移動係止体４６Ｌ・４６Ｒを２辺４１Ｌ・４１Ｒから遠ざかる方向に引く状態とし、この移動係止体４６L・４６Ｒに、両端に係止環４５ｂ・４５ｂを有する帯状の収束シート４５を着脱自在に係合配置した事を特徴とする葉野菜収束装置。
【請求項４】
圃場に栽培しているほうれん草やチンゲン菜等の葉野菜を、移動しながら引き抜き、挟持搬送をして走行機体２の側面特定位置に放出する収穫機において、前記特定位置に、積載口４０となる平行に突出したシート受体４１Ｌ・４１Ｒと、この上部と接し直角方向に延出する帯状の収束シート４５と、この両端と着脱自在に係合し収束シート４５を拡張する移動係止体４６を配置して、シート受体４１Ｌ・４１Ｒ間の収束シート４５上に積載した葉野菜の量に応じて収束シート４５で移動係止体４６を引き寄せて、葉野菜を乗せる高さ位置を積載口４０の高さ付近に維持するよう構成した収束装置８を備えた事を特徴とする葉野菜収穫機。
【請求項５】
収束装置８を、放出する葉野菜の株元落下付近を通り、走行機体２の進行方向に向かった線上で回動可能に枢支した事を特徴とする請求項４記載の葉野菜収穫機。
【発明の詳細な説明】
【０００１】
【発明の属する技術分野】
本発明は、圃場に栽培しているほうれん草、小松菜、チンゲン菜等の葉野菜の収穫作業で、収穫葉野菜の積載・搬出を容易にする葉野菜収束装置に関する。
【０００２】
【従来の技術】
葉野菜の代表としてほうれん草を例にすると、ハウス内で幅広畦の多条密植方式で栽培するのが多く、収穫作業は、必要量の空コンテナを作業場近くに置き、ほうれん草を引き抜き・根切・葉調製・コンテナへ収納の手作業を繰り返し行ない、コンテナが満杯となると収穫作業に支障ない所へ動かし、代わりに空コンテナを持ち戻り再度手作業を繰り返し、満杯コンテナは、１ないし２個両手で前に抱え上げハウスより搬出するのが一般的である。
また、この収穫作業を機械化し、引き抜き・挟持搬送・コンテナへ積載する技術としては、抜き取った葉野菜を排出口よりコンテナに積載し、満杯になると機械を止め満杯コンテナを下ろし空コンテナに乗せ換え再度作業を行なう例と、抜き取った野菜を排出口下のコンベアで送られている収束シート上に積載し、収束シートを丸めて両端を止め搬出する方法が公知としてある。
例えば、特開２０００−２７０６５６及び特願２０００−１４４６５６号の通りである。
【０００３】
【発明が解決しようとする課題】
前記手作業においては、葉野菜をコンテナの底部に収納する時には衝撃・葉折れ・不揃いに注意を要し、又、多量のコンテナをハウス内の狭い作業場に置く必要があり、空コンテナと満杯コンテナの持ち運びが煩わしく、特に、ハウスより搬出時に前に抱えるので足元の視界が悪く危険である。
収穫機による作業においては、前者では、コンテナ底部に積載する時には落下距離が長く衝撃による傷みや葉折れ不揃いが生じ、コンテナの持ち運びもハウスより搬出する時に手作業と同様の問題があり、又、後者では、機体側面に長いコンベアを配置するため左右バランス・回行性・前方視界等を損ね、収束作業では葉野菜収束端の区切り・シート全周の巻き込み・株元揃え等を行なう手間が必要である。
【０００４】
【課題を解決するための手段】
本発明の解決しようとする課題は以上の如くであり、次にこの課題を解決するための技術的手段を説明する。
即ち、請求項１においては、圃場に栽培しているほうれん草やチンゲン菜等の葉野菜の収穫作業で、収穫葉野菜の積載・搬出を容易にする収束装置に関して、積載口４０に葉野菜長手方向と平行する２辺のシート受体４１と、この上部と接し直角方向に延出する帯状の収束シート４５と、この両端と着脱自在に係合し収束シート４５を拡張する移動係止体４６とを設け、積載口部の収束シート４５上に積載した葉野菜の量に応じて収束シート４５で移動係止体４６を引き寄せ、葉野菜を乗せる高さ位置を積載口４０の高さ付近に維持するよう構成する事を手段として用い、また、請求項２においては、収束シート４５と接し、平行する２辺のシート受体４１Ｌ・４１Ｒの間隔を調節可能とする事を手段として用いた。
【０００５】
また、請求項３においては、圃場に栽培しているほうれん草やチンゲン菜等の葉野菜の収穫作業で、収穫葉野菜の積載・搬出を容易にする収束装置に関して、積載口４０となる上面のみ開放状態で底面はソリ状であるコンテナ体５０に、葉野菜長手方向と平行する積載口４０の２辺４１Ｌ・４１Ｒに対し平行配置した係止体４４・４４を固着する移動係止体４６Ｌ・４６Ｒを、係止回動軸４８Ｌ・４８Ｒで軸支し、更に、移動係止体４６Ｌ・４６Ｒを２辺４１Ｌ・４１Ｒから遠ざかる方向に引く状態とし、この移動係止体４６Ｌ・４６Ｒに、両端に係止環４５ｂ・４５ｂを有する帯状の収束シート４５を着脱自在に係合配置する事を手段として用いた。
【０００６】
また、請求項4においては、圃場に栽培しているほうれん草やチンゲン菜等の葉野菜を、移動しながら引き抜き、挟持搬送して走行機体２の側面特定位置に放出する収穫機において、前記特定位置に、積載口４０となる平行に突出したシート受体４１Ｌ・４１Ｒと、この上部と接し直角方向に延出する帯状の収束シート４５と、この両端と着脱自在に係合し収束シート４５を拡張する移動係止体４６を配置し、シート受体４１Ｌ・４１Ｒ間の収束シート４５上に積載した葉野菜の量に応じて収束シート４５で移動係止体４６を引き寄せて葉野菜を乗せる高さ位置を積載口４０の高さ付近に維持するよう構成した収束装置８を備える事を手段として用い、また、請求項５においては、収束装置８を、放出する葉野菜の株元落下付近を通り、走行機体２の進行方向に向かった線上で回動可能に枢支する事を手段として用いた。
【０００７】
【発明の実施と形態】
次に、本発明の実施の形態を添付の図面を用いて説明する。
図１は本発明を織り込んだコンテナ形収束装置の全体正面図（ａ）・平面図（ｂ）・側面図（ｃ）、図２は同じく別の実施例の枠形収束装置の全体三面図、図３はコンテナ形収束装置を装着した葉野菜収穫機の全体正面図、図４は本発明を織り込んだ収束装置を装着した葉野菜収穫機全体側面図、図５は同じく平面図、図６は同じく正面図、図７は要部拡大側面図、図８は同じく断面図である。
【０００８】
まず、本発明を織り込んだコンテナ形収束装置の全体の構成を、図１、図２、図３を用いて説明する。
コンテナ形収束装置は、コンテナ体５０・移動係止体４６及び拡張バネ４７・収束シート４５を配置し構成している。
図１で示すコンテナ体５０は、積載口４０となる上面のみが開放状態で、対向する２辺のシート受体４１Ｌ・４１Ｒ部を有し、底面５０ｂが土の上で滑りやすいソリ状に一体成形し、収納する葉野菜の根元がわ側板５０ｃ及び葉先がわ側板５０ｄで支える係止回動軸４８Ｌ・４８Ｒにより移動係止体４６Ｌ・４６Ｒを回動軸支し、更に側板５０ｄには拡張バネ４７・４７の一端を受ける複数の調節穴を有する構造である。
【０００９】
移動係止体４６Ｌ・４６Ｒは、逆Ｌ形の部材の横部の収束シート４５を着脱可能に係止する係止体４４・４４を固着すると共に、縦部下端に横部と平行でコンテナ体５０に回動可能に嵌合する係止回動軸４８と係合する部材及び、複数の調節穴を有するバネ掛け４６ｃを固着した構造の一対で、側板５０ｄ外面に正面視で左右対象に配置すると共に、拡張バネ４７・４７により収束シート４５を拡張状態に装着し、側板５０ｄに固着し外方に延出したストッパー５９Ｌ・５９Ｒにより最拡張位置を規制する。
収束シート４５は、帯状のシート体４５ａの四隅の係止体４４と係合する係止環４５ｂを、巻き方向の両端には円接状態で接合するファスナー４５ｃ・４５ｄを表裏に対向配置し、シート体４５ａの中央付近に運搬のとき指を通せる長穴４５ｅを三本設けた構造である。
【００１０】
又、別の実施例として図２では、コンテナ体５０の各辺を部材で構成し、シート受体４１Ｌに係止体４４・４４を固着し、シート受体４１Ｒを滑らかに回転するローラ式とし、移動係止体４６の回動支点座４３ｃを有する根元側揃え体４３ａ及び葉先側揃え体４３ｂを設け、コ形部材の横部に係止体４４・４４を固着すると共に、両縦部下端に横部と平行な係止回動軸４８と係合固着する部材を有する移動係止体４６を回動可能にコンテナ体５０に装着し、シート受体４１Ｌと移動係止体４６に、帯状のシート体４５ａの四隅に係止環４５ｂと一端に結束用リボン４５ｃ・４５ｃを付けた収束シート４５を係合し、移動係止体４６に移動可能に固着したウエイト４９により拡張状態に取付け、ストッパー５９ａ・５９ｂにより回動範囲を規制する構造を示す。
【００１１】
図３では、別の実施例として、葉野菜収穫機の放出口６下方に設けた高さ調節アーム５６の取付位置により上下に移動するコンテナ受体５５に、本発明を織り込んだコンテナ形収束装置８を搭載した状態を示したもので、手作業での使用は勿論、収穫機の従来方式即ち、空コンテナを乗せ満杯になるとコンテナを下ろす作業を繰り返す方式のコンテナ受体５５にもそのまま使用することが可能であると共に、収束シート４５のみを搭載することで収束状態の収穫が行なえ、空コンテナの搭載スペースが不要となる。
【００１２】
次に、本発明を織り込んだ収束装置を装着した葉野菜収穫機の全体の構成を、図４、図５、図６、図７、図８を用いて説明する。
以下は、代表的な葉野菜であるほうれん草を例に、自走式葉野菜収穫機に装着した収束装置の場合について説明する。
全体の構成は、走行機体２はクローラ走行装置３・挟持搬送装置５・前処理装置７をフレーム２９で配置し、走行機体２の側方放出口６付近に装着した収束装置８は枠体５４・移動係止体４６・収束シート４５を配置し構成している。
【００１３】
まず、本収穫機の取扱について説明すると、エンジン１０を始動しハンドル２１に配置した前後進兼用の主クラッチレバー２４を操作してクローラ走行装置３を作動させ機体を動かし、栽培しているほうれん草の条に前処理装置７を合わせて作業クラッチレバー２５を操作して前処理装置７・挟持搬送装置５を作動させることにより、収穫機で移動・引き抜き・搬送・放出が行なわれ、更に放出口６付近に装着した本発明を織り込んだ収束装置８により、ほうれん草を収束シート４５上に収束状態で積載するので、満杯になればこれを束にして装置より取り出し圃場に置き次の作業に進み、圃場に置かれた束は、１つずつ両手に下げて持ちハウスより搬出するものである。
収穫作業は、これ等の操作・操縦・搬出作業を繰り返し行なうものである。
【００１４】
次に各装置について説明すると、クローラ走行装置３は、図４に示す通り走行機体２の下方中央部にクローラ３０を配置し、前後接地状態に並ぶ三つの接地輪３６ａ・３６ｂ・３６ｃと、その後方上部の駆動スプロケット３１とをトラックフレーム３５で回転可能に軸支し、外周にクローラ３０を巻掛けて機体を支え、その駆動は、駆動スプロケット３１の上部に配置した側面にエンジン１０を直装したミッションケース１４からチェンケース１５を経て駆動スプロケット３１へ伝動し、その変速はミッションケース１４上方に延設した変速レバー２６を、動力の断続はハンドル２１に装着した主クラッチレバー２４を操作して行ない、機体の方向修正はフレーム２９に固着し後方上部に延出したハンドル２１を操縦して行ない、エンジン１０の回転速度調節はアクセルレバー２３で夫々行なう。
【００１５】
挟持搬送装置５は、クローラ３０中央上部付近に分配ケース１８を前傾状態で配置し、分配ケース１８上面の一対の延出軸と係合する駆動プーリ６１ｂＬ・６１ｂＲと従動プーリ間に巻掛けた前傾張りの縦搬送帯６１Ｌ・６１Ｒと、この後方に分配ケース１８上面に適当に配置した延出軸と係合する駆動プーリ６２ｂと従動プーリ間に巻掛けた横張りの横搬送帯６２で構成し、その駆動はミッションケース１４の前処理軸１４ｂより屈折伝動具１９を介して分配ケース１８のベベルギヤ部１８ｃで受け、チェン・ギヤにより夫々の搬送帯を同期的に動かす構成にし、抜き取った葉野菜を挟持しながら後方に搬送し、株元を株元板６３で受けながら放出口６より横向きに放出する構造である。
【００１６】
前処理装置７は、縦搬送帯６１Ｌ・６１Ｒの先端に位置し、隣の条作物を横に押し広げ絡みを外すと共に、収穫する葉野菜を縦搬送帯６１によい姿勢で誘い込む一対の分草体６０Ｌ・６０Ｒと、縦搬送帯６１Ｌ・６１Ｒの挟持開始付近下方に、根を適当位置より切断する鋭利で前後に振動する根切断刃６６とで構成した構造である。
【００１７】
以上の各装置を所定位置に配置するフレーム２９は、縦フレーム２９ａと、その先端部に横方向に延出するフレームパイプ２９ｃと、後端部に横方向に延出する横フレーム２９ｂ及び収束装置取付体４２で構成し、縦フレーム２９ａ先端をトラックフレーム３５中央付近よりＬ字状に延出した部材に上下調節可能に挿入固定し、横フレーム２９ｂにはミッションケース１４及びハンドル２１を、更にフレームパイプ２９ｃと連結して分配ケース１８等を夫々固着又は締結固定すると共に、収束装置取付体４２を放出口６付近まで側方に延出した横フレーム２９ｂに固着配置した構造であり、チェンケース１５は、トラックフレーム３５に固着し延出上部はミッションケース１４を前後方向に回動可能に嵌合支持する伝動ケース構造である。
尚、収束装置取付体４２は、放出する葉野菜の株元落下付近を通り進行方向と平行な回動支点軸４２ａと、これと同芯の円弧の調節穴４２ｃを有する取付体４２ｂとを横フレーム２９ｂに固着して構成している。
【００１８】
本発明を織り込んだ収束装置８は、図７、図８に示すように、積載口４０に葉野菜長手方向と平行する係止体４４・４４付シート受体４１Ｌを固定座５４ｅに係合固定し、円滑に回転可能なローラ式シート受体４１Ｒと、回動支点軸４２ａと嵌合するメタル体５４ｂと、取付体４２ｂに回動調節可能に締結固定する回動固定体５４ｃと、移動係止体４６と伸縮可能に係合し、下面にバネ掛け５４ｄとバネ受け５８用のスライド穴を、上面後端にシート受体４１Ｌを係合固定する複数の固定座５４ｅ・５４ｅを有する角シリンダー５４ａとを夫々固着配置した枠体５４を、フレーム２９の収束装置取付体４２に嵌合させ最適角で締結する。
【００１９】
更に、角パイプ４６ａの先端に係止体４４・４４を有しシート受体４１Ｒと平行に突出する係止パイプ４６ｂを固着した移動係止体４６を、角シリンダー５４ａに挿入し、角パイプ４６ａ下面後端に締結固定したバネ受け５８とバネ掛け５４ｄに拡張バネ４７を調節可能にセットして拡張状態とし、角シリンダー５４ａ外側面に根元を受ける揃え体４３を固着すると共に、通気性のある帯状のシート体４５ａの四隅に係止体４４と係合する係止環４５ｂと、巻き方向の両端には円接状態で接着するファスナー４５ｃ・４５ｄを表裏に対向配置した収束シート４５を、シート受体４１Ｒのローラ上面に接しシート受体４１Ｌと移動係止体４６に拡張状態に一枚又は複数枚装着し、積載葉野菜の重量により発生する収束シート４５の張力で移動係止体４６を引き寄せ葉野菜を乗せる高さ位置を積載口４０の高さ付近に維持するように構成した構造である。
【００２０】
【発明の効果】
本発明は以上のような構成にしたので、次のような効果が得られる。
即ち、請求項１記載のように、圃場に栽培しているほうれん草やチンゲン菜等の葉野菜の収穫作業で、収穫葉野菜の積載・搬出を容易にする収束装置に関し、積載口に葉野菜長手方向と平行する２辺のシート受体と、この上部と接し直角方向に延出する帯状の収束シートと、この両端と着脱自在に係合し収束シートを拡張する移動係止体とを設け、積載口部の収束シート上に積載した葉野菜の量に応じて収束シートで移動係止体を引き寄せ、葉野菜を乗せる高さ位置を積載口の高さ付近に維持することで、葉野菜を積載する作業動作が小さく、落下高さ大による衝撃・葉折れ・不揃い等を防止し、更に、満載時には収束シートがほぼ収束状態を形成しているので束ねる動作も容易となる効果が得られる。
また、請求項２記載のように、収束シートと接し、平行する２辺のシート受体の間隔を調節可能とする事により、葉野菜の種類・形状により積載口の収束シート上の横への転がりを防ぎ、更に、満載時の収束シートがより収束状態となる効果が得られる。
【００２１】
また、請求項３記載のように、積載口となる上面のみ開放状態で底面はソリ状であるコンテナ体に、葉野菜長手方向と平行する積載口の２辺に対し平行配置した２つの係止体を固着する移動係止体を、係止回動軸で軸支し、更に、移動係止体を２辺より遠ざかる方向に引く状態とし、この移動係止体に、両端に係止環を有する帯状の収束シートを着脱自在に係合配置した事により、圃場内に空コンテナを置く必要がなく、その運搬作業が不要となり作業スペースが広く取れ搬出作業を安全に行なえ、更に、葉野菜を乗せる高さ位置を積載口の高さ付近に維持することで、積載する作業動作が小さく、落下高さ大による衝撃・葉折れ・不揃い等を防止し、更に、満載時には収束シートがほぼ収束状態を形成しているので束ねる動作も容易となる効果が得られる。
【００２２】
また、請求項４記載のように、圃場に栽培しているほうれん草やチンゲン菜等の葉野菜を、移動しながら引き抜き・挟持搬送をして走行機体の側面特定位置に放出する収穫機において、前記特定位置に、積載口となる平行に突出した一対のシート受体と、この上部と接し直角方向に延出する帯状の収束シートと、この両端と着脱自在に係合し収束シートを拡張する移動係止体を配置し、シート受体間の収束シート上に積載した葉野菜の量に応じて収束シートで移動係止体を引き寄せて、葉野菜を乗せる高さ位置を積載口の高さ付近に維持するよう構成した収束装置を備えた事により、落下高さ大による衝撃・葉折れ・不揃い等を防止し、満載近くで収束シートの底部が下がっても滑らかな形状のため隣畦葉野菜への傷つきを防ぎ、満載時には収束シートがほぼ収束状態を形成しているので束ねる動作も容易となり、更に、空コンテナへの取替え作業も不要となる効果が得られる。
【００２３】
また、請求項５記載のように、収束装置を、放出する葉野菜の株元落下付近を通り走行機体の進行方向に向かった線上に回動可能に枢支した事により、葉野菜の種類・形状に合った角度に収束装置が取付られるので、株元が揃え体に接当し株元の揃いが向上し、更に、隣畦葉野菜への傷つきをより防ぐ効果が得られる。
【図面の簡単な説明】
【図１】本発明を織り込んだコンテナ形収束装置の全体三面図である。
【図２】本発明を織り込んだ別の実施例の収束装置の全体三面図である。
【図３】コンテナ形収束装置を装着した葉野菜収穫機の全体正面図である。
【図４】本発明の収束装置を装着した葉野菜収穫機全体側面図である。
【図５】同じく全体平面図である。
【図６】同じく全体正面図である。
【図７】要部拡大側面図である。
【図８】同じく断面図である。
【符号の説明】
２    作業機体
３    クローラ走行装置
５    挟持搬送装置
６    放出口
７    前処理装置
８    収束装置
２９  フレーム
４０  積載口
４５  収束シート
５０  コンテナ体
５４  枠体
６８  縦搬送帯カバー
６９  横搬送帯カバー
（ａ）三面図の正面図
（ｂ）同じく平面図
（ｃ）同じく側面図
Ａ−Ａ断面位置指示
【図１】
0003737052.tif 000002
【図２】
0003737052.tif 000003
【図３】
0003737052.tif 000004
【図４】
0003737052.tif 000005
【図５】
0003737052.tif 000006
【図６】
0003737052.tif 000007
【図７】
0003737052.tif 000008
【図８】
0003737052.tif 000009